(57)【要約】【課題】  電子マネーカード等の電子マネー媒体の種類別に決済額が異なる場合における決済処理を高速かつ簡易に行うことができるようにした電子マネー決済方法および電子マネー処理装置および電子マネー処理システムを提供する。【解決手段】  電子マネーカード２０を用いる決済処理開始に際して、該決済処理が可能な電子マネーカードの種類を示す複数の識別情報および該電子マネーカードの種類に対応して決定された決済額を示す複数の金額情報を含む決済要求コマンドをＰＯＳ端末１０から電子マネー処理装置４０に送り、電子マネー処理装置４０では、カードかざし装置３０にかざされた電子マネーカード２０からカード情報を読み取り、該読み取ったカード情報に含まれる該電子マネーカードの種類を示す識別情報と決済要求コマンドに含まれる複数の識別情報とを比較し、該比較により一致した識別情報に対応する金額情報の決済処理を行う。【選択図】  図１
2005135297.tif 000002
【特許請求の範囲】
【請求項１】
電子マネー媒体を用いて決済処理を行う電子マネー決済方法において、
決済処理開始に際して、該決済処理が可能な電子マネー媒体の種類を示す複数の識別情報および該電子マネー媒体の種類に対応して決定された決済額を示す複数の金額情報を含む決済要求コマンドを電子マネー処理装置に送り、
電子マネー処理装置は、所定の媒体かざし装置にかざされた電子マネー媒体から該電子マネー媒体の媒体情報を読み取り、
該読み取った媒体情報に含まれる該電子マネー媒体の種類を示す識別情報と前記決済要求コマンドに含まれる複数の識別情報とを比較し、
該比較により一致した識別情報に対応する金額情報の前記電子マネー媒体を用いた決済処理を行う
ことを特徴とする電子マネー決済方法。
【請求項２】
前記決済要求コマンドは、
取引端末における取引に際して発生されて、
前記電子マネー処理装置における決済処理は、
前記電子マネー媒体を用いた前記取引端末における取引の決済を行う
ことを特徴とする請求項１記載の電子マネー決済方法。
【請求項３】
前記決済要求コマンドは、
自動販売機による商品販売に際して発生され、
前記決済処理は、
前記電子マネー媒体を用いた前記自動販売機による商品販売の決済を行う
ことを特徴とする請求項１記載の電子マネー決済方法。
【請求項４】
電子マネー媒体を用いた決済処理を行う電子マネー決済装置において、
前記決済処理が可能な電子マネー媒体の種類を示す複数の識別情報および該電子マネー媒体の種類に対応して決定された決済額を示す複数の金額情報を含む決済要求コマンドを受信する受信手段と、
電子マネー媒体をかざすことにより該かざされた電子マネー媒体に対する情報の読み書きを行う媒体かざし装置と、
前記媒体かざし装置により電子マネー媒体から読み取った情報に含まれる当該電子マネー媒体の種類を示す識別情報と前記受信手段で受信した決済要求コマンドに含まれる複数の識別情報とを比較し、該比較により一致した識別情報に対応する金額情報の前記電子マネー媒体を用いた決済処理を行う決済手段と
を具備することを特徴とする電子マネー決済装置。
【請求項５】
前記決済要求コマンドは、
取引端末における取引に際して発生され、
前記決済手段は、
前記電子マネー媒体を用いた前記取引端末における取引の決済処理を行う
ことを特徴とする請求項４記載の電子マネー決済装置。
【請求項６】
前記決済要求コマンドは、
自動販売機による商品販売に際して発生され、
前記決済手段は、
前記電子マネー媒体を用いた前記自動販売機による商品販売の決済処理を行う
ことを特徴とする請求項４記載の電子マネー決済装置。
【請求項７】
電子マネー媒体を用いた決済処理を行う電子マネー決済システムにおいて、
前記決済処理が可能な電子マネー媒体の種類を示す複数の識別情報および該電子マネー媒体の種類に対応して決定された決済額を示す複数の金額情報を含む決済要求コマンドを発生する決済要求コマンド発生手段と、
前記決済要求コマンド発生手段から発生された決済要求コマンドを受信する決済要求コマンド受信手段と、
電子マネー媒体をかざすことにより該かざされた電子マネー媒体に対する情報の読み書きを行う媒体かざし装置と、
前記媒体かざし装置により電子マネー媒体から読み取った情報に含まれる当該電子マネー媒体の種類を示す識別情報と前記決済要求コマンド受信手段で受信した決済要求コマンドに含まれる複数の識別情報とを比較し、該比較により一致した識別情報に対応する金額情報の前記電子マネー媒体を用いた決済処理を行う決済手段と
を具備することを特徴とする電子マネー決済システム。
【請求項８】
前記決済要求コマンド発生手段は、
決済対象取引を受け付ける取引端末に設けられ、
前記決済手段は、
前記電子マネー媒体を用いた前記取引端末における取引の決済処理を行う
ことを特徴とする請求項７記載の電子マネー決済システム。
【請求項９】
前記決済要求コマンド発生手段は、
決済対象である商品を販売する自動販売機内に設けられ、
前記決済手段は、
前記電子マネー媒体を用いた前記自動販売機による商品販売の決済処理を行う
ことを特徴とする請求項７記載の電子マネー決済システム。
【発明の詳細な説明】
【技術分野】
【０００１】
この発明は、電子マネーカード等の電子マネー媒体を用いて決済処理を行う電子マネー決済方法および電子マネー処理装置および電子マネー処理システムに関し、特に、電子マネー媒体の種類別に決済額が異なる場合の決済処理を高速かつ簡易に行うことができるようにした電子マネー決済方法および電子マネー処理装置および電子マネー処理システムに関する。
【背景技術】
【０００２】
最近、販売促進等のために特定の商品の販売価格を顧客の利用形態等に対応して異ならせて販売する場合がある。
【０００３】
例えば、同一の商品に対しても通常価格と会員用の割引価格とを設定して、非会員に対しては通常価格で販売するが、会員に対しては会員用の割引価格で販売する。
【０００４】
また、会員に対してもその利用回数等に対応して決定された会員種別に対応して割引率を異ならせて、この割引率で算出された価格で商品を販売する。
【０００５】
このような、顧客の利用形態等に対応して販売価格を異ならせて販売する処理を可能にした装置としては、例えば、特許文献１および特許文献２に記載されたものが知られている。
【０００６】
すなわち、特許文献１に記載された電子式キャッシュレジスタにおいては、会員別の割引情報を商品毎または商品群毎に予め記憶手段に記憶し、入力された購入商品データおよび会員種別に基づいて上記記憶手段から割引情報を読み出して販売価格を決定するように構成されている。
【０００７】
また、特許文献２に記載された販売データ登録装置においては、所定の商品に対して少なくとも通常単価と会員単価との２種類の単価を設定して、会員であるか否かにより単価を選択して買い上げ額を設定するように構成されている。
【特許文献１】特開平１−２１１１９８号公報
【特許文献１】特開平９−３３０４７９号公報
【発明の開示】
【発明が解決しようとする課題】
【０００８】
ところで、最近、電子マネーカードを用いてキャッシュレスで決済を行う電子マネー決済システムが種々提案されている。
【０００９】
そして、このような電子マネー決済システムにおいても、顧客の利用回数、利用形態等に対応してそれぞれ決済額を設定する必要がある場合がある。
【００１０】
このような決済に対応するために、顧客の種別に対応して異なる種類の電子マネーカードを発行して、該電子マネーカードの種類に対応して同一の商品の販売等においても決済額を異ならせることが考えられている。
【００１１】
しかし、電子マネーカードの種類に対応して決済額を異ならせる構成をとる場合で、例えば、ＰＯＳ(Point Of Sales)システムのＰＯＳ端末を用いて販売処理を行う場合には、まず、電子マネーカードをカードかざし部にかざしてこの電子マネーカードから当該電子マネーカードの種類情報を読み取り、この読み取った電子マネーカードの種類情報をＰＯＳ端末に送り、ＰＯＳ端末からこの電子マネーカードの種類情報に対応する決済額を受け取り、この受け取った電子マネーカードの種類情報に対応する決済額に基づき電子マネー処理装置が決済処理を行うことになる。
【００１２】
このような構成によると、電子マネーカードの種類情報を読み取るためと決済処理のためとで２回電子マネーカードをカードかざし部にかざすか、電子マネーカードの種類情報を読み取るためにカードかざし部にかざした電子マネーカードを電子マネー処理装置による決済処理が終了するまでこのかざした状態に保持するかのいずれかの操作が必要になり、このため、操作が複雑になるとともに、電子マネーカードの処理も複雑になり、また、処理に要する時間も長くなるという問題が生じた。
【００１３】
そこで、この発明は、電子マネーカード等の電子マネー媒体の種類別に決済額が異なる場合における決済処理を高速かつ簡易に行うことができるようにした電子マネー決済方法および電子マネー処理装置および電子マネー処理システムを提供することを目的とする。
【課題を解決するための手段】
【００１４】
この発明の電子マネー決済方法は、電子マネー媒体を用いて決済処理を行う電子マネー決済方法において、決済処理開始に際して、該決済処理が可能な電子マネー媒体の種類を示す複数の識別情報および該電子マネー媒体の種類に対応して決定された決済額を示す複数の金額情報を含む決済要求コマンドを電子マネー処理装置に送り、電子マネー処理装置は、所定のカードかざし装置にかざされた電子マネー媒体から該電子マネー媒体のカード情報を読み取り、該読み取った媒体情報に含まれる該電子マネー媒体の種類を示す識別情報と前記決済要求コマンドに含まれる複数の識別情報とを比較し、該比較により一致した識別情報に対応する金額情報の前記電子マネー媒体を用いた決済処理を行うことを特徴とする。
【００１５】
また、前記決済要求コマンドは、ＰＯＳ端末等の取引端末における取引に際して発生されて、前記電子マネー処理装置における決済処理は、前記電子マネー媒体を用いた前記取引端末における取引の決済を行うように構成することができる。
【００１６】
また、前記決済要求コマンドは、自動販売機による商品販売に際して発生され、前記決済処理は、前記電子マネー媒体を用いた前記自動販売機による商品販売の決済を行うように構成することができる。
【００１７】
なお、ここで、「電子マネー媒体」とは、電子マネーカードあるいは携帯電話機等の携帯端末に搭載されたメモリに電子マネー情報を記憶保持し、ＰＯＳ端末や自動販売機等と接触または非接触（無線通信、赤外線通信を含む）で電子マネー情報を送受信するものを含む。
【００１８】
また、「電子マネー媒体の種類」とは、その電子マネー媒体を用いた支払いを行う際の優遇度の区分を表す情報のことである。複数ある優遇度の区分のうち、いずれの区分の情報が電子マネー媒体に記憶されているかは、この電子マネー媒体の利用者が特定の資格（会員、社員）を有していいるか否かや、この電子マネー媒体による決済額の累計額の多寡や、電子マネー媒体による決済回数等によることが多い。そして、支払いの優遇度の区分に応じて異なる決済額のうち、いずれの決済額で決済されるかは、この電子マネー媒体の種類、すなわち、電子マネー媒体を用いた支払いを行う際の区分を表す情報に基づいて決定される。
【００１９】
また、「媒体情報」とは、電子マネー媒体に記憶されている情報で、媒体の種別を示す識別情報、媒体残高情報等を含む。
【００２０】
また、「電子マネー媒体を媒体かざし装置にかざす」とは、電子マネー媒体の情報を媒体かざし装置で読み書きできる状態をいい、例えば、電子マネー媒体を媒体かざし装置の媒体かざし面に対して所定の距離の範囲内に近づけた状態、電子マネー媒体を媒体かざし装置の媒体かざし面にタッチさせた状態等を含む。
【００２１】
また、「電子マネー媒体を用いた決済処理」とは、電子マネー媒体の取引前媒体残額からこの決済額を減算して、その減算結果を取引後媒体残額として電子マネー媒体に書き込む処理を含む。
【００２２】
また、「取引端末における取引」とは、その対象が、商品購入だけでなくサービスの供与等も含む。
【００２３】
また、この発明の電子マネー決済装置は、電子マネー媒体を用いた決済処理を行う電子マネー決済装置において、前記決済処理が可能な電子マネー媒体の種類を示す複数の識別情報および該電子マネー媒体の種類に対応して決定された決済額を示す複数の金額情報を含む決済要求コマンドを受信する受信手段と、電子マネー媒体をかざすことにより該かざされた電子マネー媒体に対する情報の読み書きを行う媒体かざし装置と、前記媒体かざし装置により電子マネー媒体から読み取った情報に含まれる当該電子マネー媒体の種類を示す識別情報と前記受信手段で受信した決済要求コマンドに含まれる複数の識別情報とを比較し、該比較により一致した識別情報に対応する金額情報の前記電子マネー媒体を用いた決済処理を行う決済手段とを具備することを特徴とする。
【００２４】
また、この発明の電子マネー決済システムは、電子マネー媒体を用いた決済処理を行う電子マネー決済システムにおいて、前記決済処理が可能な電子マネー媒体の種類を示す複数の識別情報および該電子マネー媒体の種類に対応して決定された決済額を示す複数の金額情報を含む決済要求コマンドを発生する決済要求コマンド発生手段と、前記決済要求コマンド発生手段から発生された決済要求コマンドを受信する決済要求コマンド受信手段と、電子マネー媒体をかざすことにより該かざされた電子マネー媒体に対する情報の読み書きを行う媒体かざし装置と、前記媒体かざし装置により電子マネー媒体から読み取った情報に含まれる当該電子マネー媒体の種類を示す識別情報と前記決済要求コマンド受信手段で受信した決済要求コマンドに含まれる複数の識別情報とを比較し、該比較により一致した識別情報に対応する金額情報の前記電子マネー媒体を用いた決済処理を行う決済手段とを具備することを特徴とする。
【発明の効果】
【００２５】
この発明によれば、電子マネー媒体を用いる決済処理開始に際して、該決済処理が可能な電子マネー媒体の種類を示す複数の識別情報および該電子マネー媒体の種類に対応して決定された決済額を示す複数の金額情報を含む決済要求コマンドを電子マネー処理装置に送り、電子マネー処理装置では、所定の媒体かざし装置にかざされた電子マネー媒体から媒体情報を読み取り、該読み取った媒体情報に含まれる該電子マネー媒体の種類を示す識別情報と決済要求コマンドに含まれる複数の識別情報とを比較し、該比較により一致した識別情報に対応する金額情報の決済処理を行うように構成したので、電子マネー媒体を媒体かざし装置に１回かざすだけの簡単な操作で、電子マネー媒体の種類別に決済額が異なる場合の決済処理を高速かつ簡易に行うことができる。
【発明を実施するための最良の形態】
【００２６】
以下、この発明に係わる電子マネー決済方法および電子マネー処理装置および電子マネー処理システムの実施例を添付図面を参照して詳細に説明する。
【実施例１】
【００２７】
図１は、この発明を適用して構成した電子マネー処理システムの全体構成を示すブロック図である。
【００２８】
図１に示す電子マネー処理システムにおいては、ＰＯＳ端末１０で行われる取引決済を電子マネー媒体である電子マネーカード２０を用いて行うことができるようにしたもので、店舗等に配設され各種取引の買い上げ額を算出するＰＯＳ端末１０、電子マネーカード２０がかざされるカードかざし装置３０、カードかざし装置３０にかざされた電子マネーカード２０を用いた決済処理を実行する電子マネー処理装置４０、電子マネー処理装置４０での決済処理を管理する電子マネーセンタ装置５０を具備して構成される。
【００２９】
また、ＰＯＳ端末１０と電子マネー処理装置４０およびカードかざし装置３０との間はＲＳ２３２Ｃケーブル等の通信線７０および通信線６０でそれぞれ接続され、電子マネー処理装置４０と電子マネーセンタ装置５０との間は、電話線、ＬＡＮ(Local Area Network)、無線回線等の通信線８０で接続される。
【００３０】
ここで、ＰＯＳ端末１０は、ＰＯＳシステムの端末として構成されるもので、各店舗等における商品、サービス等の取引の買い上げ額等の算出およびその決済処理を受け付ける等の処理を行うものである。
【００３１】
電子マネーカード２０は、ＩＣ(Integrated Circuit)およびアンテナが埋め込まれたもので、アンテナを介して外部から供給された電力によりこのアンテナを介して無接触で情報の読み出しおよび書き込みが可能なものである。
【００３２】
この電子マネーカード２０は、例えば、１６桁の固有のカード番号を有しており、その上位の８桁でカードの種別を識別し、下位の８桁でこのカードの所有者等を識別するように構成されている。
【００３３】
カードかざし装置３０は、このカードかざし装置３０にかざされた電子マネーカード２０から各種情報の読み取りおよび該電子マネーカード２０に対して各種情報の書き込みを行うもので、電子マネーカード２０に対して電力を供給するとともに、電子マネーカード２０に対する各種情報の読み取りおよび書き込みに用いられるアンテナ、無線処理部、顧客に対して操作案内等を行うためのＬＥＤ(Light Emitting Diode)、スピーカ等を具備して構成される。
【００３４】
電子マネー処理装置４０は、この発明の要部を構成するもので、ＰＯＳ端末１０との通信によりカードかざし装置３０にかざされた電子マネーカード２０を用いた決済処理を実行する。
【００３５】
また、この電子マネー処理装置４０は、電子マネーセンタ装置５０との通信により電子マネー処理装置４０での決済処理結果を電子マネーセンタ装置５０に通知する。
【００３６】
電子マネーセンタ装置５０は、各店舗等に配設された複数の電子マネー処理装置４０から通知された決済処理結果を集計管理し、この管理情報に基づき電子マネーカード２０を用いた決済にかかわる利用額を各店舗の口座に振り込む等の処理を行うものである。
【００３７】
この電子マネー処理システムにおいては、電子マネー処理装置４０においてＰＯＳ端末１０との通信によりカードかざし装置３０にかざされた電子マネーカード２０を用いた決済処理を実行するが、この電子マネー処理システムで使用可能な電子マネーカード２０としては複数種類の電子マネーカード２０、この実施例においては５種類の電子マネーカード２０が設定されている。
【００３８】
ここで、複数種類の電子マネーカード２０を使用可能にする理由は、カードの種類毎に異なる決済額での決済処理を可能にするためで、例えば、この電子マネーカード２０の利用回数、利用形態等に対応してそれぞれ異なる種類の電子マネーカード２０を発行して、電子マネーカード２０を用いた決済処理に使用される電子マネーカード２０の種類に対応して異なる決済額での決済処理を実行することで、販売促進等を図るものである。
【００３９】
例えば、電子マネーカード２０を発行する顧客を会員と非会員とで区別し、会員に対して発行された電子マネーカード２０を用いた決済処理においては、非会員に対して発行された電子マネーカード２０を用いた決済処理の決済額よりも割り引く。また、電子マネーカード２０を発行する顧客を社員と非社員とで区別し、社員に対して発行された電子マネーカード２０を用いた決済処理においては、非社員に対して発行された電子マネーカード２０を用いた決済処理の決済額よりも割り引く。更に、会員、社員等に対してもその利用回数等により割引率を異ならせる等である。
【００４０】
このために、この実施例の電子マネー処理システムにおいては、カードの種類毎に異なる決済額での決済処理を可能にするために複数種類の電子マネーカード２０が発行され、ＰＯＳ端末１０から電子マネー処理装置４０へに決済処理が可能な電子マネーカードの種類を示す複数の識別情報および該電子マネーカードの種類に対応して決定された決済額を示す複数の金額情報を含む決済要求コマンドを送信し、電子マネー処理装置４０においては、この決済要求コマンドに基づきこの複数の電子マネーカード２０の内の使用された電子マネーカード２０の種類に対応したそれぞれ異なる決済額での決済処理を実行する。
【００４１】
なお、この電子マネーカード２０の種別は、上述したように、この電子マネーカード２０のカード番号の上位の８桁を用いて識別する。
【００４２】
図２は、上記電子マネー処理装置４０の概略構成を示すブロック図である。
【００４３】
図２に示す電子マネー処理装置４０においては、この電子マネー処理装置４０の全体動作を統括制御する制御部４０１、この制御部４０１にバスライン４０６を介して相互に接続され、カードかざし装置３０にかざされた電子マネーカード２０から情報を読み取る処理を実行するカード情報読取処理部４０２、カードかざし装置３０にかざされた電子マネーカード２０に対して情報を書き込む処理を実行するカード情報書込処理部４０３、ＰＯＳ端末１０との間の通信を制御する通信制御部４０４、カードかざし装置３０にかざされた電子マネーカード２０を用いた決済処理を行うとともにその決済結果を通信線８０を経由して電子マネーセンタ装置５０に通知するカード決済処理部４０５を具備して構成される。
【００４４】
さて、この電子マネー処理システムにおいては、決済処理に使用される電子マネーカード２０の種類毎に異なる決済額での決済処理を効率よく行うために、決済処理開始に際してＰＯＳ端末１０から電子マネー処理装置４０に通信線７０経由で送られる決済要求コマンドに、この電子マネー処理システムで決済処理が可能な電子マネーカードの種類を示す複数の識別情報（カード番号の上位８桁）および該電子マネーカードの種類に対応して決定された決済額を示す複数の金額情報を含ませている。
【００４５】
そして、電子マネー処理装置４０では、ＰＯＳ端末１０からの決済要求コマンドを通信処理部４０４で受信した後に、カードかざし装置３０にかざされた電子マネーカード２０からこの電子マネーカード２０のカード情報をカード情報読取処理部４０２で読み取り、この読み取ったカード情報に含まれるこの電子マネーカードの種類を示す識別情報（カード番号の上位８桁）と上記決済要求コマンドに含まれる複数の識別情報とを比較し、この比較により一致した識別情報に対応する金額情報を決済額として、電子マネーカード２０の取引前カード残額からこの決済額を減算して、その減算結果を取引後カード残額としてカード情報書込処理部４０３により電子マネーカード２０に書き込む処理を行う。
【００４６】
これにより、カードかざし装置３０に電子マネーカード２０を１回かざすだけで、所望の決済処理を行うことができる。
【００４７】
図３は、電子マネーカード２０を用いた決済処理におけるＰＯＳ端末１０と電子マネー処理装置４０との間の通信手順を示すシーケンスチャートである。
【００４８】
アイドル状態にあるＰＯＳ端末１０において、決済処理が開始されると、ＰＯＳ端末１０から通信線７０を経由して電子マネー処理装置４０へ決済要求コマンドが送信される。この決済要求コマンドは、図４（ａ）に示すフォーマットのように、ヘッダに決済要求コマンドであることを示すコマンド番号を含むとともに、５個の金額情報「１」乃至「５」とこの金額情報「１」乃至「５」に対応する５個の識別情報「１」乃至「５」を含んでいる。
【００４９】
ここで、５個の識別情報「１」乃至「５」は、この電子マネー処理システムで決済処理が可能な電子マネーカードの種類を示す識別情報（カード番号の上位８桁）であり、５個の金額情報「１」乃至「５」は、この５個の識別情報「１」乃至「５」で種類が特定される電子マネーカード２０を用いた場合の決済処理における決済額を示す。
【００５０】
この金額情報「１」乃至「５」は、ＰＯＳ端末１０で決済される商品またはサービス等に対応して予め設定されていてもよいし、ＰＯＳ端末１０でその決済が発生する都度算出したものでもよい。
【００５１】
マネー処理装置４０は、上記決済要求コマンドを受信し、この決済要求コマンドが正当なものであると、ＰＯＳ端末１０に対して  図４（ｂ）に示すフォーマットのような決済要求レスポンス（正常）を返す。ここで、この決済要求レスポンス（正常）は、ヘッダに決済要求レスポンスであることを示すコマンド番号を含むとともに、受信した決済要求コマンドが正当なものであることを示す結果情報を含んでいる。
【００５２】
なお、マネー処理装置４０は、ＰＯＳ端末１０からの決済要求コマンドが正当なものでない場合は、決済要求レスポンス（その他）を返し、この場合、ＰＯＳ端末１０は、この決済要求レスポンス（その他）に基づき所定の他の処理を行うことになる。
【００５３】
ＰＯＳ端末１０は、決済要求コマンド（正常）を受信すると、所定の時間間隔で、マネー処理装置４０に対して決済確認コマンドを送信する。この決済確認コマンドは、ヘッダに決済確認コマンドであることを示すコマンド番号を含んでいる。
【００５４】
この決済確認コマンドを受信したマネー処理装置４０は、カードかざし装置３０を制御して、電子マネーカード２０をかざすことを促すためのカードかざし面に設けられたＬＥＤの点滅制御若しくはスピーカによる音声ガイダンスを行うが、ここで、電子マネーカード２０がカードかざし装置３０に対してかざされていないと、ＰＯＳ端末１０に対して決済確認レスポンス（かざし待ち）を返す。なお、この決済確認レスポンス（かざし待ち）は、ヘッダに決済確認レスポンスであることを示すコマンド番号を含むとともに、結果情報にＰＯＳ端末１０が電子マネーカード２０のかかざし待ちであることを示す情報を含んでいる。
【００５５】
また、ここで、電子マネーカード２０がカードかざし装置３０に対して既にかざされていると、マネー処理装置４０は、ＰＯＳ端末１０に対して決済確認レスポンス（処理中）を返す。なお、この決済確認レスポンス（処理中）は、ヘッダに決済確認レスポンスであることを示すコマンド番号を含むとともに、結果情報にＰＯＳ端末１０が電子マネーカード２０の処理中であることを示す情報を含んでいる。
【００５６】
また、ここで、カードかざし装置３０にかざされた電子マネーカード２０を用いた決済処理が終了していると、マネー処理装置４０は、ＰＯＳ端末１０に対して決済確認レスポンス（決済ＯＫ）を返す。なお、この決済確認レスポンス（決済ＯＫ）は、ヘッダに決済確認レスポンスであることを示すコマンド番号を含むとともに、結果情報に決済内容を示す情報、すなわち、取引時刻、カード番号、決済金額、取引前カード残額、取引後カード残額等の情報を含んでいる。
【００５７】
ＰＯＳ端末１０は、この決済確認レスポンス（決済ＯＫ）を受信すると、この決済確認レスポンス（決済ＯＫ）に含まれる決済内容を示す情報に基づき電子マネーカード２０を用いた決済を集計して管理することになる。
【００５８】
なお、マネー処理装置４０は、ＰＯＳ端末１０から正当な決済要求コマンドを受信した後、予め設定された時間以内に電子マネーカード２０がカードかざし装置３０に対してかざされたことが検出されないとタイムアウトとなり所定のエラー処理を行う。
【００５９】
また、ＰＯＳ端末１０から決済要求コマンドをマネー処理装置４０に送信し、ＰＯＳ端末１０で電子マネーカード２０がカードかざし装置３０に対してかざされたことを検知する前にＰＯＳ端末１０で所定の決済中止操作を行うと、ＰＯＳ端末１０からマネー処理装置４０へ決済中止コマンドが送信され、ＰＯＳ端末１０は、この決済中止コマンドに応答して決済中止レスポンスを返すことでこの電子マネーカード２０を用いた決済処理は中止される。
【００６０】
図５は、図３に示した決済処理における電子マネー処理装置４０の動作を説明するフローチャートである。
【００６１】
この処理が開始されると、電子マネー処理装置４０は、まず、ＰＯＳ端末１０からの決済要求コマンドを受信したかを調べる（ステップ５０１）。ここで、決済要求コマンドを受信していない場合は（ステップ５０１でＮＯ）、ステップ５０１へ戻り、ＰＯＳ端末１０からの決済要求コマンドを待つが、決済要求コマンドを受信したと判断されると（ステップ５０１でＹＥＳ）、受信した決済要求コマンドに含まれる複数の金額情報および複数の識別情報、すなわち、５個の金額情報（決済額）「１」乃至「５」および５個の識別情報（カード番号の上位８桁）「１」乃至「５」を抽出する（ステップ５０２）。
【００６２】
そして、カードかざし装置３０を制御して、電子マネーカード２０をかざすことを促すための報知、例えば、カードかざし面に設けられたＬＥＤの点滅制御若しくはスピーカによる音声ガイダンスを行う（ステップ５０３）
次に、電子マネーカード２０がカードかざし装置３０にかざされたかを調べ（ステップ５０４）、電子マネーカード２０がかざされたと判断されると（ステップ５０４でＹＥＳ）、かざされた電子マネーカード２０から読み取ったカード情報から識別情報（カード番号の上位８桁）を抽出する（ステップ５０５）。
【００６３】
そして、識別情報が一致するか、すなわち、この電子マネーカード２０から読み取ったカード情報から抽出した識別情報（カード番号の上位８桁）と一致する識別情報がステップ５０２で抽出した５個の識別情報（カード番号の上位８桁）の中に含まれているかを調べる（ステップ５０６）。
【００６４】
ここで、一致すると判断されると（ステップ５０６でＹＥＳ）、次に、この一致した識別情報に対応する金額情報（決済額）が電子マネーカード２０から読み取ったカード情報に含まれるカード残高未満かを調べる（ステップ５０７）。
【００６５】
そして、この決済額がカード残高未満であると（ステップ５０７でＹＥＳ）、カード残高から決済額を減算する処理を行い（ステップ５０８）、この処理結果をＰＯＳ端末１０に通知して（ステップ５０９）この処理を終了する。
【００６６】
なお、上記処理結果のＰＯＳ端末１０への報告処理は、図３に示した決済確認レスポンス（決済ＯＫ）により行われる。
【００６７】
また、ステップ５０４で、電子マネーカード２０がかざされていないと判断された場合は（ステップ５０４でＮＯ）、タイムアウト、すなわち一定時間経過したかが調べられ（ステップ５１０）、タイムアウトでないと（ステップ５１０でＮＯ）、ステップ５０４に戻り、電子マネーカード２０がかざされるのを待つが、タイムアウトになると（ステップ５１０でＹＥＳ）、この処理を終了する。
【００６８】
また、ステップ５０６で識別情報が一致しないと判断された場合（ステップ５０６でＮＯ）、または、ステップ５０７で、決済額がカード残高未満でないと判断された場合（ステップ５０７でＮＯ）は、所定のエラー処理（ステップ５１１）を行ってこの処理を終了する。
【実施例２】
【００６９】
図６は、この発明を適用して構成した自動販売機の全体構成を示す外観図である。
【００７０】
この図６に示す自動販売機６００は、電子マネーカード２０を専用に用いて販売可能に構成した自動販売機を示す。
【００７１】
この自動販売機６００は、複数の商品６０１を選択するための複数の選択ボタン６０２、電子マネーカード２０をかざすためのカードかざし部６０３、商品を排出する商品排出口６０４を具備して構成される。
【００７２】
図７は、図６に示した自動販売機６００に設けられる処理装置の概略構成を示すブロック図である。
【００７３】
この自動販売機６００の全体動作は、メインコントローラ６１０により統括制御されるもので、このメインコントローラ６１０にバスライン６１７を経由して相互に接続された商品選択処理部６１４、商品排出制御部６１５、電子マネー処理部６１６を具備して構成される。
【００７４】
ここで、送品選択処理部６１４は、図６に示した選択ボタン６０２による商品選択処理を行うものであり、商品排出制御部６１５は、この自動販売機６００で購入された商品の商品排出口６０４への排出処理を行うものである。
【００７５】
電子マネー処理部６１６は、この自動販売機６００における電子マネーカード２０を用いた商品販売の決済処理を行うもので、図２に示した電子マネー処理４０と同様に構成される。
【００７６】
すなわち、電子マネー処理部６１６は、この電子マネー処理部６１６の全体動作を統括制御する制御部４０１、この制御部４０１にバスライン４０６を介して相互に接続され、図６に示したカードかざし部６０３にかざされた電子マネーカード２０から情報を読み取る処理を実行するカード情報読取処理部４０２、カードかざし部６０３にかざされた電子マネーカード２０に対して情報を書き込む処理を実行するカード情報書込処理部４０３、メインコントローラ６１０との間の通信を制御する通信制御部４０４、カードかざし部６０３にかざされた電子マネーカード２０を用いた決済処理を行うカード決済処理部４０５を具備して構成される。
【００７７】
この自動販売機６００における電子マネーカード２０を用いた商品販売動作を示すと以下のようになる。
【００７８】
１）自動販売機６００の選択ボタン６０２を用いて選択された商品を商品選択処理部６１４で判別する。
【００７９】
２）商品選択処理部６１４で判別された商品の電子マネーカード２０を用いた決済のために、メインコントローラ６１０から電子マネー処理部６１６へ決済要求コマンドを送信する。
【００８０】
３）音声ガイダンス等にしたがってカードかざし部６０３にかざされた電子マネーカード２０からカード情報読取処理部６１２によりカード情報を読み取る。
【００８１】
４）カード情報読取処理部６１２により読み取ったカード情報に含まれるカード残高が購入商品の販売価格が電子マネーカード２０の残高未満の場合は、販売可として決済処理後、選択ボタン６０２で選択した商品６０１を商品販売口６０４へ排出する。
【００８２】
５）残高が購入商品の販売価格が電子マネーカード２０の残高を越えている場合は所定のエラー処理を行う。
【００８３】
ここで、この自動販売機６００には、電子マネーカード２０の種類に対応して各商品の販売価格が異なるように設定されている。
【００８４】
そして、この自動販売機６００により購入する商品の決済のためにカードかざし部６０３にかざされた電子マネーカード２０の種類に応じて、同一の商品でもその決済額が異なる。
【００８５】
そこで、この実施例の自動販売機６００においては、メインコントローラ６１０から電子マネー処理部６１６へ送信される決済要求コマンドに、図４（ａ）に示したように、複数の金額情報および複数の識別情報が含まれている。
【００８６】
ここで、複数の識別情報は、例えば、電子マネーカード２０のカード番号の上位８桁の情報で、この複数の識別情報は、この自動販売機６００で決済処理が可能な電子マネーカードの種類を示す。また、複数の金額情報は、上記この自動販売機６００で決済処理が可能な電子マネーカードの種類に対応して設定された決済額を示す。
【００８７】
このような構成によると、電子マネー処理部６１６は、メインコントローラ６１０からの決済要求コマンドを受信した後に、カードかざし部６０３にかざされた電子マネーカード２０から読み取ったカード情報に含まれるこの電子マネーカードの種類を示す識別情報（カード番号の上位８桁）と上記決済要求コマンドに含まれる複数の識別情報とを比較し、この比較により一致した識別情報に対応する金額情報を決済額として、電子マネーカード２０の取引前カード残額からこの決済額を減算することで、カードかざし部６０３に電子マネーカード２０を１回かざすだけで、複数の決済額に対応した所望の決済処理を行うことができる。
【００８８】
図８は、図７に示した電子マネー処理部６１６の動作を説明するフローチャートである。
【００８９】
自動販売機６００の選択ボタン６０２を用いて所望の商品が選択されると、メインコントローラ６１０から電子マネー処理部６１６へ決済要求コマンドが送信される。
【００９０】
この決済コマンドには、複数の金額情報および複数の識別情報、例えば、５個の金額情報（決済額）「１」乃至「５」および５個の識別情報（カード番号の上位８桁）「１」乃至「５」が含まれている。
【００９１】
電子マネー処理部６１６は、まず、この決済要求コマンドを受信したかを調べ（ステップ８０１）、ここで、決済要求コマンドを受信していない場合は（ステップ８０１でＮＯ）、ステップ８０１へ戻り、決済要求コマンドを待つが、決済要求コマンドを受信したと判断されると（ステップ８０１でＹＥＳ）、受信した決済要求コマンドに含まれる複数の金額情報および複数の識別情報、すなわち、５個の金額情報（決済額）「１」乃至「５」および５個の識別情報（カード番号の上位８桁）「１」乃至「５」を抽出する（ステップ８０２）。
【００９２】
そして、カードかざし報知、すなわち、カードかざし部６０３に電子マネーカード２０をかざすことを促すための報知を行う（ステップ８０３）
このカードかざし報知により、電子マネーカード２０がカードかざし部６０３にかざされると（ステップ８０４でＹＥＳ）、このかざされた電子マネーカード２０から読み取ったカード情報から識別情報（カード番号の上位８桁）を抽出し（ステップ８０５）、この識別情報が決済要求コマンドに含まれる複数の識別情報のいずれかと一致するかを調べる（ステップ８０６）。
【００９３】
ここで、一致すると判断されると（ステップ８０６でＹＥＳ）、この一致した識別情報に対応する金額情報（決済額）が電子マネーカード２０から読み取ったカード情報に含まれるカード残高未満かを調べ（ステップ８０７）、カード残高未満であると（ステップ８０７でＹＥＳ）、カード残高から決済額を減算する処理を行い（ステップ８０８）、この処理結果をメインコントローラ６１０に通知して（ステップ８０９）この処理を終了する。
【００９４】
このメインコントローラ６１０への処理結果の通知により、メインコントローラ６１０は、商品排出制御部６１５を制御して選択された商品の商品排出口６０４への排出処理を行う。
【００９５】
また、電子マネー処理部６１６で処理された決済データは、オンラインまたはオフラインで図示しない電子マネーセンタ装置に通知され、電子マネーセンタ装置では、この通知された決済データを集計処理して、この自動販売機６００管理者の口座に振り込む等の処理を行う。
【００９６】
なお、ステップ８０４で、所定時間以内に電子マネーカード２０がカードかざし部６０３にかざされない場合は（ステップ８１０でＹＥＳ）、タイムアップとしてこの処理を終了する。
【００９７】
また、ステップ８０６で識別情報が一致しない場合（ステップ８０６でＮＯ）、または、ステップ８０７で、決済額がカード残高未満でないと判断された場合（ステップ８０７でＮＯ）は、所定のエラー処理（ステップ８１１）を行ってこの処理を終了する。
【００９８】
なお、上記実施例では、この発明を電子マネーカード２０専用の自動販売機に適用した場合を示したが、例えば、図７に示した構成に、硬貨を処理するコインメック、紙幣を処理するビルバリデータ等を追加して、電子マネーカード２０を用いた決済だけでなく硬貨、紙幣等の投入によっても商品を販売できるように構成してもよい。
【産業上の利用可能性】
【００９９】
この発明は、電子マネーカードの種類別に決済額が異なる場合の決済処理を行う電子マネー処理装置および電子マネー処理システムに適用可能である。
【０１００】
この発明によれば、電子マネーカードを用いる決済処理開始に際して、該決済処理が可能な電子マネーカードの種類を示す複数の識別情報および該電子マネーカードの種類に対応して決定された決済額を示す複数の金額情報を含む決済要求コマンドを電子マネー処理装置に送り、電子マネー処理装置では、カードかざし装置にかざされた電子マネーカードからカード情報を読み取り、該読み取ったカード情報に含まれる該電子マネーカードの種類を示す識別情報と決済要求コマンドに含まれる複数の識別情報とを比較し、該比較により一致した識別情報に対応する金額情報の決済処理を行うように構成したので、電子マネーカードをカードかざし装置に１回かざすだけの簡単な操作で、電子マネーカードの種類別に決済額が異なる場合の決済処理を高速かつ簡易に行うことができる。
【図面の簡単な説明】
【０１０１】
【図１】この発明を適用して構成した電子マネー処理システムの全体構成を示すブロック図である。
【図２】図１に示した電子マネー処理装置の概略構成を示すブロック図である。
【図３】図１に示した電子マネー処理システムの決済処理におけるＰＯＳ端末と電子マネー処理装置との間の通信手順を示すシーケンスチャートである。
【図４】図３に示した通信手順で用いる決済要求コマンドおよび決済要求レスポンスのフォーマットの一例を示す図である。
【図５】図３に示した決済処理における電子マネー処理装置の動作を説明するフローチャートである。
【図６】この発明を適用して構成した自動販売機の全体構成を示す外観図である。
【図７】図６に示した自動販売機に設けられる処理装置の概略構成を示すブロック図である。
【図８】図７に示した電子マネー処理部の動作を説明するフローチャートである。
【符号の説明】
【０１０２】
１０    ＰＯＳ端末
２０    電子マネーカード
３０    カードかざし装置
４０    電子マネー処理装置
５０    電子マネーセンタ装置
６０、７０、８０    通信線
４０１    制御部
４０２    カード情報読取処理部
４０３    カード情報書込処理部
４０４    通信制御部
４０５    カード決済処理部
４０６    バスライン
６００    自動販売機
６０１    商品
６０２    選択ボタン
６０３    カードかざし部
６０４    商品排出口
６１０    メインコントローラ
６１４    商品選択処理部
６１５    商品排出制御部
６１６    電子マネー処理部
６１７    バスライン
【図１】
2005135297.tif 000003
【図２】
2005135297.tif 000004
【図３】
2005135297.tif 000005
【図４】
2005135297.tif 000006
【図５】
2005135297.tif 000007
【図６】
2005135297.tif 000008
【図７】
2005135297.tif 000009
【図８】
2005135297.tif 000010